(57)【要約】【課題】コントラストや反射率などの表示性能の向上と精密な階調表示性能の向上を同時に実現すること。【解決手段】共通電極（２２）の電位を変化させるコモン振りによって全画素電極（２１）を同一の表示状態にする全画素同一表示駆動ステップと、共通電極（２２）の電位を当該共通電極（２２）にコモン振りで印加された電位の中間電位に固定され、対象画素に対応した複数のデータ線（Ｘ）に画素信号が印加された状態で、対象画素が所望の階調となるように走査回数を制御し、最後の走査後に前記画素電極をハイインピーダンス状態とする階調表示駆動ステップと、対象画素が所望の階調に到達した後、当該対象画素の画素電極（２１）と共通電極（２２）との間を短絡する停止ステップと、を具備することを特徴とする電気泳動表示装置及びその駆動方法とする。【選択図】図２
2014215583.tif 000002
【特許請求の範囲】
【請求項１】
少なくとも一方が光透過性を有する一対の基板と、
一方の前記基板の基板面にマトリクス状に配置された複数の画素電極と、
他方の前記基板の基板面に前記複数の画素電極に対向して配置された共通電極と、
前記基板間に封入され、１又は２種類以上の電気泳動粒子が分散された電気泳動表示インクと、
前記画素電極が行毎に接続された複数のデータ線に対して個別に画素信号を供給する第１の駆動回路と、
前記複数のデータ線上に夫々設けられ、オン状態において当該データ線に供給される前記画素信号を対応する前記画素電極に印加する複数のスイッチと、
前記スイッチが列毎に接続された複数の走査線を、前記スイッチをオン状態にする走査信号によって走査する第２の駆動回路と、
前記各画素電極と前記共通電極との間にそれぞれ並列に接続された複数の保持容量と、
を具備した電気泳動表示装置の駆動方法であって、
前記共通電極の電位を変化させるコモン振りによって全画素を同一の表示状態にする全画素同一表示駆動ステップと、
前記共通電極の電位を当該共通電極にコモン振りで印加された電位の中間電位に固定され、対象画素に対応した複数のデータ線に画素信号が印加された状態で、対象画素が所望の階調となるように走査回数を制御し、最後の走査後に前記画素電極をハイインピーダンス状態とする階調表示駆動ステップと、
対象画素が所望の階調に到達した後、当該対象画素の前記画素電極と前記共通電極との間を短絡する停止ステップと、
を具備したことを特徴とする電気泳動表示装置の駆動方法。
【請求項２】
前記全画素同一表示駆動ステップは、
第１の電圧Ｖ１を前記共通電極に印加し、第２の電圧Ｖ２を画素信号として前記各データ線に印加した状態で、前記複数の走査線を用いて全画素に一斉に駆動電圧を印加して全画素を第１の表示状態に変化させる駆動により全画素を同一の表示状態にすること
を含むコモン振りが適用されることを特徴とする請求項１記載の電気泳動表示装置の駆動方法。
【請求項３】
前記全画素同一表示駆動ステップは、
第１の電圧Ｖ１を前記共通電極に印加し、第２の電圧Ｖ２を画素信号として前記各データ線に印加した状態で、前記複数の走査線を順次走査する駆動を１または複数フレーム繰り返すことで全画素を同一の表示状態にすること
を含むコモン振りが適用されることを特徴とする請求項１記載の電気泳動表示装置の駆動方法。
【請求項４】
前記全画素同一表示駆動ステップは、
第１の電圧Ｖ１を前記共通電極に印加し、第２の電圧Ｖ２を画素信号として前記各データ線に印加した状態で、前記複数の走査線を用いて全画素に一斉に駆動電圧を印加して全画素を第１の表示状態に変化させる第１の印加動作と、
前記第２の電圧Ｖ２を前記共通電極に印加し、前記第１の電圧Ｖ１を画素信号として前記各データ線に印加した状態で、前記複数の走査線を用いて全画素に一斉に駆動電圧を印加し、全画素を前記第１の表示状態とは異なる第２の表示状態に変化させる第２の印加動作と、
を連続して行う一連の動作を１セットとして、
この一連の動作を１または複数セット繰り返すこと
を含むコモン振りが適用されることを特徴とする請求項１記載の電気泳動表示装置の駆動方法。
【請求項５】
前記全画素同一表示駆動ステップは、
第１の電圧Ｖ１を前記共通電極に印加し、第２の電圧Ｖ２を画素信号として前記各データ線に印加した状態で、前記複数の走査線を順次走査して全画素を第１の表示状態に変化させる第１の印加動作と、
前記第２の電圧Ｖ２を前記共通電極に印加し、前記第１の電圧Ｖ１を画素信号として前記各データ線に印加した状態で、前記複数の走査線を順次走査して全画素を前記第１の表示状態とは異なる第２の表示状態に変化させる第２の印加動作と、
を連続して行う一連の動作を１セットとして、
この一連の動作を１または複数セット繰り返すこと
を含むコモン振りが適用されることを特徴とする請求項１記載の電気泳動表示装置の駆動方法。
【請求項６】
前記階調表示駆動ステップは、
対象画素を第１の極性の駆動電圧で繰り返し駆動して所望の階調に変化させる途中で、当該対象画素に第１の極性とは逆向きの第２の極性の駆動電圧を印加することを特徴とする請求項１から請求項５のいずれかに記載の電気泳動表示装置の駆動方法。
【請求項７】
前記階調表示駆動ステップは、
階調を表現するために必要な走査回数を、１フレーム又は複数フレームに相当する休止期間で分離されるいくつかのブロックに分け、前記ブロック単位で対象画素を走査することを特徴とする請求項１から請求項５のいずれかに記載の電気泳動表示装置の駆動方法。
【請求項８】
前記ブロックと前記ブロックの間の前記休止期間において、対象画素の前記画素電極と前記共通電極との間を順次短絡することを特徴とする請求項７記載の電気泳動表示装置の駆動方法。
【請求項９】
前記ブロックと前記ブロックの間の前記休止期間において、対象画素の前記画素電極を順次開放することを特徴とする請求項７記載の電気泳動表示装置の駆動方法。
【請求項１０】
前記ブロックの１つのブロック内で対象画素を第１の極性の駆動電圧で繰り返し駆動して階調変化させる途中で、当該対象画素に第１の極性とは逆向きの第２の極性の駆動電圧を印加することを特徴とする請求項７から請求項９のいずれかに記載の電気泳動表示装置の駆動方法。
【請求項１１】
前記停止ステップは、
対象画素が所望の階調に到達した後、前記対象画素電極に前記共通電極と同電位として短絡することを特徴とする請求項１から請求項１０のいずれかに記載の電気泳動表示装置の駆動方法。
【請求項１２】
前記停止ステップは、
全画素が所望の階調に到達した後、全画素の前記画素電極と前記共通電極との間を順次短絡することを特徴とする請求項１から請求項１０のいずれかに記載の電気泳動表示装置の駆動方法。
【請求項１３】
前記停止ステップは、
全画素が所望の階調に到達した後、全画素の前記画素電極と前記共通電極との間を一斉に短絡することを特徴とする請求項１から請求項１０のいずれかに記載の電気泳動表示装置の駆動方法。
【請求項１４】
前記階調表示駆動ステップと前記停止ステップの間に、休止期間を設けることを特徴とする請求項１から請求項１３のいずれかに記載の電気泳動表示装置の駆動方法。
【請求項１５】
少なくとも一方が光透過性を有する一対の基板と、
一方の前記基板の基板面にマトリクス状に配置された複数の画素電極と、
他方の前記基板の基板面に前記複数の画素電極に対向して配置された共通電極と、
前記基板間に封入され、少なくとも１又は２種類以上の電気泳動粒子からなる電気泳動表示インクと、前記画素電極が行毎に接続された複数のデータ線に対して個別に画素信号を供給する第１の駆動回路と、
前記複数のデータ線上に夫々設けられ、オン状態において当該データ線に供給される前記画素信号を対応する前記画素電極に印加する複数のスイッチと、
前記スイッチが列毎に接続された複数の走査線を、前記スイッチをオン状態にする走査信号によって走査する第２の駆動回路と、
前記各画素電極と前記共通電極との間にそれぞれ並列に接続された複数の保持容量と、
を具備し、
前記共通電極の電位を変化させるコモン振りによって全画素を同一の表示状態にした後、前記共通電極の電位を当該共通電極にコモン振りで印加された電位の中間電位に固定して、対象画素に対応した複数のデータ線に画素信号を印加した状態で、対象画素が所望の階調となるように走査回数を制御し、最後の走査後に前記画素電極をハイインピーダンス状態として階調表示し、対象画素が所望の階調に到達した後、当該対象画素の前記画素電極と前記共通電極との間を短絡することを特徴とする電気泳動表示装置。
【発明の詳細な説明】
【技術分野】
【０００１】
本発明は、電界等の作用により可逆的に視認状態を変化させる電気泳動表示装置の駆動方法及び電気泳動表示装置に関する。
【背景技術】
【０００２】
電子ペーパーに適した表示装置として、電気泳動表示インクにより画像を形成する電気泳動表示装置が知られている。一般的な電気泳動表示装置は、表示画素がマトリクス状に配置され、各表示画素に電気泳動表示インクが封入されると共に一対の電極が設けられる。データ線駆動回路からデータ線及びＴＦＴを介して各表示画素の一方の電極（画素電極）に画素信号を供給し、各表示画素の電気泳動表示インクに画素信号（駆動電圧）が印加されるように走査線駆動回路から各表示画素（画素電極）のＴＦＴに走査線を介して走査信号を供給する。走査信号は矩形波の電圧からなる信号（パルス信号）であり、各走査線はパルス幅の期間だけＴＦＴをオンして画素電極に画素信号が印加される。走査線が選択されている間（ＴＦＴオン期間）のみ、各表示画素には画素電極と共通電極の電位差が駆動電圧として印加される。
【０００３】
電気泳動表示装置では、各画素の電気泳動表示インクを、より高い電圧にて駆動した方が画像品質（コントラスト等）を向上可能である。このため、スイッチング素子を用いたパネルにおいて、共通電極電位を変動させることでより大きな駆動電圧を印加させる方法などが採用されている（例えば、特許文献１参照）。
【先行技術文献】
【特許文献】
【０００４】
【特許文献１】特開２００２−１４９１１５号公報
【発明の概要】
【発明が解決しようとする課題】
【０００５】
上記のとおり、電気泳動表示装置では、より高い電圧を用いて駆動することで高速書換や高白反射率、高コントラストが達成されるものであるが、その後に階調表示する用途を想定した場合、次のような問題がある。すなわち、高い電圧を用いて階調表示しようとすると、画素電極と共通電極の間に印加される駆動電圧が大きいために電気泳動粒子の移動速度が速くなり、電気泳動粒子の位置（分布）の制御が難しくなって階調表示性能が大幅に低下するなどの問題があった。
【０００６】
本発明は、このような問題点に鑑みてなされたものであり、コントラストや反射率などの表示性能の向上と精密な階調表示性能の向上を同時に実現することができる電気泳動表示装置の駆動方法及び電気泳動表示装置を提供することを目的とする。
【課題を解決するための手段】
【０００７】
本発明の電気泳動表示装置の駆動方法は、少なくとも一方が光透過性を有する一対の基板と、一方の前記基板の基板面にマトリクス状に配置された複数の画素電極と、他方の前記基板の基板面に前記複数の画素電極に対向して配置された共通電極と、前記基板間に封入され、少なくとも１又は２種類以上の電気泳動粒子からなる電気泳動表示インクと、前記画素電極が行毎に接続された複数のデータ線に対して個別に画素信号を供給する第１の駆動回路と、前記複数のデータ線上に夫々設けられ、オン状態において当該データ線に供給される前記画素信号を対応する前記画素電極に印加する複数のスイッチと、前記スイッチが列毎に接続された複数の走査線を、前記スイッチをオン状態にする走査信号によって走査する第２の駆動回路と、前記各画素電極と前記共通電極との間にそれぞれ並列に接続された複数の保持容量と、を具備した電気泳動表示装置の駆動方法であって、前記共通電極の電位を変化させるコモン振りによって全画素を同一の表示状態にする全画素同一表示駆動ステップと、前記共通電極の電位を当該共通電極にコモン振りで印加された電位の中間電位に固定され、対象画素に対応した複数のデータ線に画素信号が印加された状態で、対象画素が所望の階調となるように走査回数を制御し、最後の走査後に前記画素電極をハイインピーダンス状態とする階調表示駆動ステップと、対象画素が所望の階調に到達した後、当該対象画素の前記画素電極と前記共通電極との間を短絡する停止ステップと、を具備したことを特徴とする。
【０００８】
この構成により、コモン振りによる高い電圧で、例えば白や黒の表示をはっきりと出した後、通常駆動の低い電圧で色の階調表示を制御することが可能となり、コントラストや反射率などの表示性能の向上と精密な階調表示性能の向上とを同時に実現することができることとなる。一般的に、通常よりも大きい駆動電圧で画素を駆動した場合、電気泳動粒子をより高密度で表示面に集めることとなるため粒子間の凝集力や電極面との付着力も高まってしまう。この凝集や付着をほぐすために同じ駆動電圧で階調表示駆動を実施するのが一般的だが、複数回走査による階調駆動を組み合わせることで、高い駆動電圧を印加することなしに、凝集や付着を解消することが可能となる。さらに、階調表示後の停止ステップにおいて、共通電極と画素電極の電位を等しくして短絡状態を作り、各画素の電気泳動インクと保持容量に蓄えられた電荷を除去することで、パネルの長寿命化を達成することができる。
【０００９】
上記電気泳動表示装置の駆動方法において、前記全画素同一表示駆動ステップは、第１の電圧Ｖ１を前記共通電極に印加し、第２の電圧Ｖ２を画素信号として前記各データ線に印加した状態で前記複数の走査線を用いて全画素に一斉に駆動電圧を印加して全画素を第１の表示状態に変化させる駆動により全画素を同一の表示状態にすること、を含むコモン振りが適用されてもよい。
【００１０】
上記電気泳動表示装置の駆動方法において、前記全画素同一表示駆動ステップは、第１の電圧Ｖ１を前記共通電極に印加し、第２の電圧Ｖ２を画素信号として前記各データ線に印加した状態で前記複数の走査線を順次走査する駆動を、１または複数フレーム繰り返すことで全画素を同一の表示状態にすること、を含むコモン振りが適用されてもよい。
【００１１】
上記電気泳動表示装置の駆動方法において、前記全画素同一表示駆動ステップは、第１の電圧Ｖ１を画素信号として前記各データ線に印加し、第２の電圧Ｖ２を前記共通電極に印加した状態で前記複数の走査線を用いて全画素に一斉に駆動電圧を印加して全画素を第１の表示状態に変化させる第１の印加動作と、前記第２の電圧Ｖ２を画素信号として前記各データ線に印加し、前記第１の電圧Ｖ１を前記共通電極に印加した状態で前記複数の走査線を用いて全画素に一斉に駆動電圧を印加し、全画素を前記第１の表示状態とは異なる第２の表示状態に変化させる第２の印加動作とを連続して行う一連の動作を１セットとして、この一連の動作を１または複数セット繰り返すこと、を含むコモン振りが適用されてもよい。
【００１２】
上記電気泳動表示装置の駆動方法において、前記全画素同一表示駆動ステップは、第１の電圧Ｖ１を画素信号として前記各データ線に印加し、第２の電圧Ｖ２を前記共通電極に印加した状態で前記複数の走査線を順次走査して全画素を第１の表示状態に変化させる第１の印加動作と、前記第２の電圧Ｖ２を画素信号として前記各データ線に印加し、前記第１の電圧Ｖ１を前記共通電極に印加した状態で前記複数の走査線を順次走査して全画素を前記第１の表示状態とは異なる第２の表示状態に変化させる第２の印加動作とを連続して行う一連の動作を１セットとして、この一連の動作を１または複数セット繰り返すこと、を含むコモン振りが適用されてもよい。
【００１３】
上記電気泳動表示装置の駆動方法において、前記階調表示駆動ステップは、対象画素を第１の極性の駆動電圧で繰り返し駆動して所望の階調に変化させる途中で、当該対象画素に第１の極性とは逆向きの第２の極性の駆動電圧を印加してもよい。
【００１４】
上記電気泳動表示装置の駆動方法において、前記階調表示駆動ステップは、階調を表現するために必要な走査回数を、１フレーム又は複数フレームに相当する休止期間で分離されるいくつかのブロックに分け、前記ブロック単位で対象画素を走査してもよい。
【００１５】
上記電気泳動表示装置の駆動方法において、前記ブロックと前記ブロックの間の前記休止期間において、対象画素の前記画素電極と前記共通電極との間を順次短絡してもよい。
【００１６】
上記電気泳動表示装置の駆動方法において、前記ブロックと前記ブロックの間の前記休止期間において、対象画素の前記画素電極を順次開放してもよい。
【００１７】
上記電気泳動表示装置の駆動方法において、前記ブロックの１つのブロック内で対象画素を第１の極性の駆動電圧で繰り返し駆動して階調変化させる途中で、当該対象画素に第１の極性とは逆向きの第２の極性の駆動電圧を印加してもよい。
【００１８】
上記電気泳動表示装置の駆動方法において、前記停止ステップは、対象画素が所望の階調に到達した後、前記対象画素電極に前記共通電極と同電位として短絡してもよい。
【００１９】
上記電気泳動表示装置の駆動方法において、前記停止ステップは、全画素が所望の階調に到達した後、全画素の前記画素電極と前記共通電極との間を順次短絡してもよい。
【００２０】
上記電気泳動表示装置の駆動方法において、前記停止ステップは、全画素が所望の階調に到達した後、全画素の前記画素電極と前記共通電極との間を一斉に短絡してもよい。
【００２１】
上記電気泳動表示装置の駆動方法において、前記階調表示駆動ステップと前記停止ステップの間に、休止期間を設けてもよい。
【発明の効果】
【００２２】
本発明によれば、コントラストや反射率などの表示性能の向上と精密な階調表示性能の向上を同時に実現することができ、さらに表示装置の長寿命化を図ることができる電気泳動表示装置の駆動方法及び電気泳動表示装置を提供できる。
【図面の簡単な説明】
【００２３】
【図１】本実施の形態に係る電気泳動表示装置の全体構成図である。
【図２】上記電気泳動表示装置における画素の電気的な構成を示す回路図である。
【図３】上記電気泳動表示装置における表示部の部分断面図である。
【図４】上記電気泳動表示装置における全走査線同時選択によるパルス方式によるコモン振りを用いた全画素同一表示駆動ステップの説明図である。
【図５】上記電気泳動表示装置における走査線順次選択によるパルス方式によるコモン振りを用いた全画素同一表示駆動ステップの説明図である。
【図６】上記電気泳動表示装置における全走査線順次選択によるスイングパルス方式によるコモン振りを用いた全画素同一表示駆動ステップの説明図である。
【図７】上記電気泳動表示装置における走査線順次選択によるスイングパルス方式によるコモン振りを用いた全画素同一表示駆動ステップの変更例の説明図である。
【図８】上記電気泳動表示装置における順次階調駆動方式を用いた階調表示駆動ステップの説明図である。
【図９】上記電気泳動表示装置におけるブロックスキャン階調駆動方式を用いた階調表示駆動ステップの説明図である。
【図１０】上記電気泳動表示装置でブロックスキャン階調駆動方式と順次階調駆動方式とを用いた場合の駆動エネルギーの説明図である。
【図１１】上記電気泳動表示装置における逆スキャン挿入駆動方式を用いた階調駆動制御の説明図である。
【図１２】上記電気泳動表示装置における逆スキャン挿入駆動方式を用いた階調駆動制御の説明図である。
【図１３】上記電気泳動表示装置における階調駆動制御を終了する場合の短絡動作及び開放動作の説明図である。
【図１４】上記電気泳動表示装置における階調駆動制御を終了する場合の波形の説明図である。
【図１５】上記電気泳動表示装置における一斉短絡方式を用いた停止ステップの説明図である。
【図１６】上記電気泳動表示装置における順次短絡方式を用いた停止ステップの説明図である。
【図１７】上記電気泳動表示装置における階調駆動制御を終了する場合の波形の説明図である。
【図１８】実施例に係る電気泳動表示装置における駆動動作に関する検証結果の説明図である。
【発明を実施するための形態】
【００２４】
以下、本発明の実施の形態について添付図面を参照して詳細に説明する。
図１は、本発明の実施の形態に係る電気泳動表示装置の全体構成図である。図１に示すように、この電気泳動表示装置１は、マトリクス状に表示画素が配置された表示部２と、表示部２に画素信号を供給するデータ線駆動回路３と、表示部２に矩形波のパルス信号からなる走査信号を供給する走査線駆動回路４と、表示部２の各表示画素に共通電位を与える共通電位供給回路５と、装置全体の動作を制御するコントローラ６と、を備えて構成される。
【００２５】
コントローラ６は、データ線駆動回路３、走査線駆動回路４及び共通電位供給回路５を制御することで、現在ある画像を消去して全画素を同一の表示状態（全白又は全黒）にする全画素同一表示駆動ステップと、表示したい画像の階調データに応じてスキャン回数を変化させて階調画像を表示させる階調表示駆動ステップと、短絡動作を入れて画素が保持している電荷を放電する停止ステップと、を１画像表示する度に実行する。後述するように、全画素同一表示駆動ステップ、階調表示駆動ステップ及び停止ステップは、データ線駆動回路３から供給される画素信号、走査線駆動回路４から供給される走査信号、共通電位供給回路５から供給される電圧の組み合わせによって実現される。
【００２６】
表示部２には、データ線駆動回路３から列方向（Ｙ方向）に並列に伸びるｎ本のデータ線Ｘ１からＸｎが延在するとともに、これらのデータ線と交差して走査線駆動回路４から行方向（Ｘ方向）に並列に伸びるｍ本の走査線Ｙ１からＹｍが延在している。表示部２において、データ線（Ｘ１，Ｘ２，…Ｘｎ）と、走査線（Ｙ１，Ｙ２，…Ｙｍ）とが交差する各交差部に表示画素２０がそれぞれ形成されている。このように、表示部２には、ｎ行ｍ列のマトリクス状に複数の表示画素２０が配置されている。
【００２７】
データ線駆動回路３は、コントローラ６から供給されるタイミング信号に基づいて、各データ線（Ｘ１，Ｘ２，…Ｘｎ）に画素信号を供給する。データ線駆動回路３は、高電位Ｖ１（例えば、１５Ｖ）、低電位Ｖ２（例えば、−１５Ｖ）、Ｖ１とＶ２の中間電圧であるＶｍｉｄ（例えば、０Ｖ）の３つの電位、およびハイインピーダンス状態を選択可能に構成されている。
【００２８】
走査線駆動回路４は、コントローラ６から供給されるタイミング信号に基づいて、各走査線（Ｙ１，Ｙ２，…Ｙｍ）に任意のパルス幅の走査信号を同時に又は順番に供給する。これにより、駆動対象となる表示画素２０に対して、走査信号が供給される。走査信号によって階調制御対象となる画素を選択するので、走査信号のことを選択信号と呼ぶこともできる。
【００２９】
表示部２を構成する各表示画素２０には、共通電位供給回路５から共通電位線１１を介して共通電位Ｖｃｏｍが印加される。共通電位供給回路５は、共通電位Ｖｃｏｍとして、高電位Ｖ１（例えば、１５Ｖ）、低電位Ｖ２（例えば、−１５Ｖ）、Ｖ１とＶ２の中間電圧であるＶｍｉｄ（例えば、０Ｖ）の３つの電位、およびハイインピーダンス状態を選択可能に構成されている。すなわち、共通電位供給回路５は、データ線駆動回路３が画素信号として選択可能な３つの電圧Ｖ１，Ｖ２，Ｖｍｉｎと同一電圧を選択可能に構成されている。
【００３０】
コントローラ６は、クロック信号、スタートパルス等のタイミング信号を、データ線駆動回路３、走査線駆動回路４及び共通電位供給回路５に供給して各回路を制御する。例えば、コントローラ６は、表示対象画素の階調データをデータ線駆動回路３または共通電位供給回路５に供給する。データ線駆動回路３または共通電位供給回路５は、階調データに応じて書込みパルスの印加回数及び電圧値を決定し、走査線駆動回路４のフレーム走査（画素行選択）動作に同期して対象画素に画素信号または共通電位を供給する。
【００３１】
図２は、表示画素２０の電気的な構成を示す等価回路図である。なお、表示部２にマトリクス状に配置された各表示画素２０は同一構成であるので、表示画素２０を構成する各部には共通の符号を付して説明する。
【００３２】
表示画素２０は、画素電極２１と、共通電極２２と、電気泳動表示インク２３と、画素スイッチング用トランジスタ２４と、保持容量２５と、を備えている。画素スイッチング用トランジスタ２４は、例えばＴＦＴ（Ｔｈｉｎ  Ｆｉｌｍ  Ｔｒａｎｓｉｓｔｏｒ）で構成することができる。画素スイッチング用トランジスタ２４のゲートは、対応する行の走査線（Ｙ１，Ｙ２，…Ｙｍ）に電気的に接続されている。画素スイッチング用トランジスタ２４のソースは、対応する列のデータ線（Ｘ１，Ｘ２，…Ｘｎ）に電気的に接続されている。また、画素スイッチング用トランジスタ２４のドレインは、画素電極２１及び保持容量２５に電気的に接続されている。画素スイッチング用トランジスタ２４は、データ線駆動回路３からデータ線（Ｘ１，Ｘ２，…Ｘｎ）を介して供給される画素信号を、走査線駆動回路４から対応する行の走査線（Ｙ１，Ｙ２，…Ｙｍ）を介して供給される走査信号に応じたタイミングで、画素電極２１及び保持容量２５に出力する。
【００３３】
画素電極２１には、データ線駆動回路３からデータ線（Ｘ１，Ｘ２，…Ｘｎ）及び画素スイッチング用トランジスタ２４を介して、画素信号が供給される。画素電極２１は、電気泳動表示インク２３を介して共通電極２２と互いに対向して配置されている。共通電極２２は、共通電位Ｖｃｏｍが供給される共通電位線１１に電気的に接続されている。
【００３４】
電気泳動表示インク２３は、少なくとも１種類の電気泳動粒子が分散された液状体であり、電極間に図示しない封止材にて漏れ出さないように保持されている。
【００３５】
保持容量２５は、誘電体膜を介して対向配置された一対の電極からなり、一方の電極が画素電極２１及び画素スイッチング用トランジスタ２４に電気的に接続され、他方の電極が共通電位線１１に電気的に接続されている。例えば、保持容量２５は、１回の選択で表示画素２０の電極間に生じる駆動電圧がオフした後も電気泳動粒子を所定期間よりも長い時間に亘り駆動電圧に応じた方向へ移動させ続ける電荷を蓄積可能な容量サイズを有する。
【００３６】
次に、電気泳動表示装置１の表示部２の具体的な構成について、図３に基づいて説明する。図３は、電気泳動表示装置１における表示部２の部分断面図である。図３に示すように、表示部２は、素子基板２８と、対向基板２９とが、図示しないスペーサを介して対向配置され、基板間に電気泳動表示インク２３が封入された構成となっている。なお、本実施の形態では、対向基板２９側に画像を表示することを前提として説明する。
【００３７】
素子基板２８は、例えば、ガラス又はプラスチック等からなる基板である。素子基板２８上には、ここでは図示を省略するが、図２を参照して上述した画素スイッチング用トランジスタ２４、保持容量２５、走査線（Ｙ１，Ｙ２，…Ｙｍ）、データ線（Ｘ１，Ｘ２，…Ｘｎ）、共通電位線１１などが作り込まれた積層構造が形成されている。この積層構造の上層側に、複数の画素電極２１がマトリクス状に設けられている。
【００３８】
対向基板２９は、例えば、ガラス又はプラスチック等からなる光透過性の基板である。対向基板２９における素子基板２８との対向面上には、共通電極２２が、複数の画素電極２１と対向して形成されている。共通電極２２は、例えば、マグネシウム銀（ＭｇＡｇ）、インジウムスズ酸化物（ＩＴＯ）、インジウム亜鉛酸化物（ＩＺＯ）などの透明導電材料から形成されている。
【００３９】
電気泳動表示インク２３は、少なくとも正又は負に帯電した第１の色を有する電気泳動粒子とそれとコントラスト表示可能となるような第２の色に着色された分散媒とからなる構成や、少なくとも正又は負に帯電した第１の色を有する第１の電気泳動粒子と、第１の電気泳動粒子とは異なる帯電特性を有し、第１の色とコントラスト表示可能となるような第２の色を有する第２の電気泳動粒子と分散媒とからなる構成をとることが可能である。本実施の形態では、正に帯電した黒色粒子８３と、負に帯電した白色粒子８２と、これらの黒色粒子８３及び白色粒子８２を分散させる分散媒８１と、からなる構成を例にとって説明するが、これに限定されるものではない。すなわち、白色、黒色の粒子をコントラスト表示可能な範囲で任意に選択することにより、例えば、赤色、緑色、青色などの粒子に変えることによって、表示部２の表示面を赤色表示、緑色表示、青色表示などにすることができるものである。
【００４０】
画素電極２１と共通電極２２との間に、相対的に共通電極２２の電位が高くなるように電圧が印加された場合には、正に帯電した黒色粒子８３は、クーロン力によって画素電極２１側に引き寄せられるとともに、負に帯電した白色粒子８２は、クーロン力によって共通電極２２側に引き寄せられる。この結果、表示面側（共通電極２２側）には、白色粒子８２が集まり、表示部２の表示面は白色表示となる。一方、画素電極２１と共通電極２２との間に、相対的に画素電極２１の電位が高くなるように（相対的に共通電極２２の電位が低くなるように）電圧が印加された場合には、正に帯電した黒色粒子８３は、クーロン力によって共通電極２２側に引き寄せられるとともに、負に帯電した白色粒子８２は、クーロン力によって画素電極２１側に引き寄せられる。この結果、表示面側（共通電極２２側）には、黒色粒子８３が集まり、表示部２の表示面は黒色表示となる。
【００４１】
次に、以上のように構成された電気泳動表示装置１における駆動動作について説明する。階調画像を電気泳動表示装置１に表示させる駆動動作は、上述した全画素同一表示駆動ステップ、階調表示駆動ステップ及び停止ステップの３つに分割される。以下、これらの全画素同一表示駆動、階調表示駆動ステップ及び停止ステップについて、順番に説明する。
【００４２】
まず、電気泳動表示装置１における全画素同一表示駆動ステップについて説明する。全画素同一表示駆動ステップでは、コモン振りを行って電気泳動表示装置の画素を一旦全て同一の表示状態にできる駆動方法であれば特に限定されるものではないが、以下に示す方法を用いることで、効果的に本発明の効果を奏することができるものである。
【００４３】
全画素同一表示駆動ステップにおいては、共通電極２２に印加される共通電位Ｖｃｏｍを変化させるコモン振りが適用され、全ての表示画素２０が同一の表示状態に設定される。例えば、全画素同一表示駆動ステップにおいては、共通電極２２を画素電極２１に対して高電位に設定して全ての表示画素２０を第１の表示状態（例えば、全白状態）に変化させる第１の印加動作、もしくは共通電極２２を画素電極２１に対して低電位に設定して全ての表示画素２０を第２の表示状態（例えば、全黒状態）に変化させる第２の印加動作（以下、上記のような駆動方式を「パルス方式」と呼ぶ。）の少なくともどちらか一方の動作によって全画素を同一の表示状態とする。
【００４４】
このように、全画素同一表示駆動ステップにコモン振りを適用することにより、画素電極２１と共通電極２２との間に大きな電位差を確保でき、各表示画素２０（より具体的には、画素電極２１と共通電極２２との電極間）に大きな駆動電圧を印加できる。これにより、電気泳動表示インク２３内の電気泳動粒子（白粒子８２、黒粒子８３）に、より大きな運動エネルギーを与えることができる。この結果、電気泳動粒子を効率よく表示面側や背面側に移動させることができ、また、白及び黒の電気泳動粒子をきれいに分離することが可能となり、白黒のコントラストや反射率などの表示性能の向上が図られる。
【００４５】
全画素同一表示駆動ステップにコモン振りを適用することで得られる作用をより効果的に得るために、パルス方式の印加動作は１回だけではなく、前記第１の印加動作を複数回繰り返すことや、前記第２の印加動作を複数回繰り返し行っても良い。また、第１の印加動作と第２の印加動作を連続して行う一連の動作（セット）として、そのセットを１回又は複数回繰り返し行う方式（以下、「スイングパルス方式」と呼ぶ。）を用いても良い。なお、スイングパルス方式にて行われる第１の印加動作と第２の印加動作は、その回数がそれぞれ異なっていてもよい。
【００４６】
本実施の形態に係る電気泳動表示装置１においては、全画素同一表示駆動ステップに適用されるコモン振りとして、例えば、全ての走査線Ｙ１〜Ｙｍに対して同時に走査信号を供給して全ての表示画素２０に同時に駆動電圧を印加する方式（全走査線同時選択によるパルス方式、及び全走査線同時選択によるスイングパルス方式）と、各走査線Ｙ１〜Ｙｍに対して順次に走査信号を供給して全ての表示画素２０に駆動電圧を順番に印加する方式（走査線順次選択によるパルス方式、及び走査線順選択によるスイングパルス方式）と、を選択できる。
【００４７】
以下、全走査線同時選択によるパルス方式、走査線順次選択によるパルス方式、全走査線同時選択によるスイングパルス方式、走査線順次選択によるスイングパルス方式を用いたコモン振りについて、図４、図５、図６及び図７に基づいて説明する。図４は、本実施の形態に係る電気泳動表示装置１における全走査線同時選択によるパルス方式によるコモン振りを用いた全画素同一表示駆動ステップの説明図である。図５は、本実施の形態に係る電気泳動表示装置１における走査線順次選択によるパルス方式によるコモン振りを用いた全画素同一表示駆動ステップの説明図である。図６は、本実施の形態に係る電気泳動表示装置１における全走査線同時選択によるスイングパルス方式によるコモン振りを用いた全画素同一表示駆動ステップの説明図である。図７は、本実施の形態に係る電気泳動表示装置１における走査線順次選択によるスイングパルス方式によるコモン振りを用いた全画素同一表示駆動ステップの説明図である。
【００４８】
図４、図５、図６、及び図７に示すコモン振りにおいては、画素電極２１及び共通電極２２に印加される高電位の電圧Ｖ１として１５Ｖを用いる一方、低電位の電圧Ｖ２として−１５Ｖを用い、これらの中間電圧Ｖｍｉｄとして０Ｖを用いて説明する。
【００４９】
図４に示すように、全走査線同時選択によるパルス方式を用いたコモン振りにおいては、共通電極２２に１５Ｖの電圧Ｖ１が印加され、画素電極２１に−１５Ｖの電圧Ｖ２が印加される。また、全ての走査線Ｙ１〜Ｙｍに対して同時に走査信号（オン電位）が供給される。これにより、各表示画素２０の電気泳動表示インク２３には、Ｖ１−Ｖ２の駆動電圧（すなわち、３０Ｖ）が印加される。
【００５０】
図５に示すように、走査線順次選択によるパルス方式を用いたコモン振りにおいては、各走査線Ｙ１〜Ｙｍに対して順次に走査信号（オン電位）が供給され、この走査信号が供給されるタイミングで該当する画素電極２１に電圧Ｖ２、共通電極２２に電圧Ｖ１が印加される点で、図４に示した全走査線同時選択によるスイングパルス方式を用いたコモン振りと相違する。図５Ａにおいては、フレーム先頭の走査線Ｙ１に対して走査信号が供給された場合について示し、図５Ｂにおいては、フレーム最後の走査線Ｙｍに対して走査信号が供給された場合について示している。なお、走査線Ｙ２〜Ｙ（ｍ−１）については、走査線Ｙ１に対する走査信号の供給タイミングと、Ｙｍに対する走査信号の供給タイミングとの間で、順次シフトしたタイミングで走査信号が供給される。
【００５１】
図６に示すように、全走査線同時選択によるスイングパルス方式を用いたコモン振りにおいては、まず、共通電極２２に−１５Ｖの電圧Ｖ２が印加され、画素電極２１に１５Ｖの電圧Ｖ１が印加された状態で全ての走査線Ｙ１〜Ｙｍに対して同時に走査信号（オン電位）が供給される第２の印加動作を行う。これにより、各表示画素２０の電気泳動表示インク２３には、Ｖ２−Ｖ１の電圧（すなわち、−３０Ｖ）が印加される。その後に共通電極２２の電位を１５Ｖの電圧Ｖ１に変更し、画素電極２１の電位を−１５Ｖの電圧Ｖ２に変更した状態で、全ての走査線Ｙ１〜Ｙｍに対して同時に走査信号（オン電位）が供給される第１の印加動作を行う。これにより、各表示画素２０の電気泳動表示インク２３には、Ｖ１−Ｖ２の駆動電圧（すなわち、３０Ｖ）が印加される。図６ではこの一連の印加動作を１セットとして、２セット印加した場合を示している。これらの印加動作を繰り返す回数については任意に選択可能であり、３回以上に設定することができる。
【００５２】
図７に示すように、走査線順次選択によるスイングパルス方式を用いたコモン振りにおいては、まず、共通電極２２に−１５Ｖの電圧Ｖ２が印加され、画素電極２１に１５Ｖの電圧Ｖ１が印加された状態で全ての走査線Ｙ１〜Ｙｍに対して順次走査信号（オン電位）が供給される第２の印加動作を行う。これにより、各表示画素２０の電気泳動表示インク２３には、Ｖ２−Ｖ１の電圧（すなわち、−３０Ｖ）が順次印加される。その後に共通電極２２の電位を１５Ｖの電圧Ｖ１に変更し、画素電極２１の電位を−１５Ｖの電圧Ｖ２に変更した状態で、全ての走査線Ｙ１〜Ｙｍに対して順次走査信号（オン電位）が供給される第１の印加動作を行う。これにより、各表示画素２０の電気泳動表示インク２３には、Ｖ１−Ｖ２の駆動電圧（すなわち、３０Ｖ）が順次印加される。図７では、第１の印加動作を２回繰り返した後に第２の印加動作を二回繰り返した印加動作を１セットとして、２セット印加した場合を示している。これらの印加動作を繰り返す回数については任意に選択可能であり、それぞれ３回以上に設定することができる。またそれぞれ異なる回数に設定することもできる。
【００５３】
図４から図７に示すインクにかかる電圧の点線部は全画素同一表示駆動ステップを終えた後の電圧波形を示しているが、本発明においては、上記のコモン振りが適用される全画素同一表示駆動ステップが行われた後、各表示画素２０を用いて階調画像を表示させる諧調表示動作に移行する。なお、この諧調表示動作ステップについては後述する。
【００５４】
以上に記載した全画素同一表示駆動ステップに先立って、現在表示されている画像（書換前の画像）が次の画像（書換後の画像）を書き込んだ後もぼんやりと残って見える現象（残像現象）を解消するための消去駆動が行われてもよい。この残像消去駆動は、上記コモン振りを用いて全走査線同時選択によってなされてもよいし、走査線順次選択によってなされてもよい。また、コモン振りを用いないこれらの駆動にて実現してもよい。また、これら以外の方法でも、残像現象を解消することが可能な駆動であればどのような手段を用いてもよい。
【００５５】
なお、図５、図７に示すように、特定の走査線に対する走査信号の供給は、全ての走査線Ｙ１〜Ｙｍを１回走査（連続して全走査線を選択）するのに要する時間を１フレーム期間とすると、１フレーム周期で行われる。すなわち、走査線Ｙ１に走査信号を連続して供給する場合、あるタイミングで走査信号を供給した後、その供給タイミングから１フレーム経過した後に次の走査信号が供給される（図５参照）。したがって、走査線Ｙ１にて選択される表示画素２０に連続して駆動電圧が印加される周期も１フレーム周期となる。
【００５６】
このように各走査線Ｙ１〜Ｙｍに対して順次に走査信号を供給することにより、第１の印加動作において、走査信号が供給された走査線Ｙ１に接続された各表示画素２０の電気泳動表示インク２３には、瞬時的にＶ１−Ｖ２の電圧（すなわち、３０Ｖ）が印加される。そして、印加された駆動電圧は、保持容量２５を充電し、保持容量２５に蓄積された電荷は、その後、漸次放電されていく。一方、第２の印加動作において、走査信号が供給された各表示画素２０の電気泳動表示インク２３には、瞬時的にＶ２−Ｖ１の電圧（すなわち、−３０Ｖ）が印加される。そして、印加された駆動電圧は、保持容量２５を逆電圧で充電し、保持容量２５に蓄積された電荷は、その後、漸次放電されていく。
【００５７】
次に、電気泳動表示装置１における階調表示駆動ステップについて説明する。階調表示駆動ステップにおいては、共通電極２２の電位を、コモン振りで印加された電圧Ｖ１、Ｖ２の中間電位Ｖｍｉｄに固定した状態にて、複数のデータ線Ｘ１〜Ｘｎに表示画像に対応した画素信号を印加すると共に、複数の走査線Ｙ１〜Ｙｍを所定パターンで選択することにより、対象となる表示画素２０が印加回数に応じて所望の階調に調整される。さらに、階調表示駆動ステップにおいては少なくとも最後の走査後に前記画素電極をハイインピーダンス状態とし、各画素は所望の階調を得た時点で階調表示駆動ステップから停止ステップへ移行する。
【００５８】
電気泳動表示装置１における階調表示駆動ステップにおいては、全画素同一表示駆動ステップと異なり、共通電極２２に印加される電位を切り替えることなく、中間電位Ｖｍｉｄに固定した状態で各画素電極２１に対する駆動が制御される。一般に各表示画素２０における階調表現においては、電気泳動表示インク２３に印加される電位差が大きいほど１回の駆動制御で変化する階調度（色味）が大きくなる。このため、上述した全画素同一表示駆動ステップのようにコモン振りを行う場合には、電気泳動表示インク２３に印加される電位差が大きくなり、階調表示制御には必ずしも適さない。このため、階調表示駆動ステップにおいては、中間電位Ｖｍｉｄに固定した状態で各画素電極２１に対する駆動を制御している。これにより、相対的に小さい電位差により階調表示を調節でき、電気泳動表示装置１における精密な階調表示性能を向上することが可能となる。
【００５９】
本実施の形態に係る電気泳動表示装置１においては、階調表示駆動ステップとして、例えば、階調表示制御対象となる表示画素２０が所望の階調に到達するまで、当該表示画素２０に対応する走査線に走査信号を１フレーム周期で順次供給して表示画素２０を駆動する順次階調駆動方式と、所望の階調を表現するために必要な表示画素２０の駆動回数（走査回数）を、１フレーム又は複数フレームに相当する休止期間で分離されるいくつかのブロックに分け、ブロック単位で階調表示制御対象となる表示画素２０を駆動するブロックスキャン階調駆動方式と、のいずれかを適用する。
【００６０】
以下、順次階調駆動方式、又はブロックスキャン階調駆動方式を用いた階調表示駆動ステップについて図８及び図９に基づいて説明する。図８は、順次階調駆動方式を用いた階調表示駆動ステップの説明図である。図９は、ブロックスキャン階調駆動方式を用いた階調表示駆動ステップの説明図である。
【００６１】
図８に示すように、順次階調駆動方式においては、共通電極２２に印加される電位が中間電位Ｖｍｉｄに固定されると共に、画素電極２１に印加される画素信号及び走査線に供給される走査信号の供給回数（走査回数または駆動回数）によって表示画素２０における階調表示が調節される。対象画素となる特定の表示画素２０を１回走査した場合を考える。すなわち、対象画素となる表示画素２０の画素電極２１に画素信号（例えばＶ２＝−１５Ｖ）を印加し、共通電極２２に中間電位Ｖｍｉｄ（例えばＶｍｉｄ＝０Ｖ）が印加されていれば、Ｖ２の駆動電圧が表示画素２０に印加される。これは、図４に示すコモン振りと比較して半分の駆動電圧で表示画素２０が駆動されていることになる。階調表示駆動ステップの中では、コモン振りを適用しないことで（共通電極２２に中間電位Ｖｍｉｄに固定）、全画素同一表示駆動ステップ時の駆動電圧の半分の駆動電圧で階調駆動することができる。小さな駆動電圧を用いて走査回数を調整することで精密な階調表示性能を向上することができる。具体的には、図８に示すように、階調制御対象となる表示画素２０に対する画素信号及び走査信号の供給が２回で停止された場合、当該表示画素２０の階調は階調Ｃに設定される。また、階調制御対象となる表示画素２０に対する画素信号及び走査信号の供給が５回で停止された場合、当該表示画素２０の階調は階調Ｂに設定される。さらに、階調制御対象となる表示画素２０に対する画素信号及び走査信号の供給が７回で停止された場合、当該表示画素２０の階調は階調Ａに設定される。なお、表示画素２０の階調が階調Ｃ、Ｂに設定される場合、それぞれ３回目、６回目以降の画素信号電位はＶｍｉｄもしくはハイインピーダンス状態となるが、図８においては、説明の便宜上、画素信号及び走査信号が７回供給される場合について示している。なお、ハイインピーダンス状態については後述する。
【００６２】
順次階調駆動方式においては、階調制御対象となる表示画素２０に対する走査回数（画素信号及び走査信号の同時印加回数又は階調駆動回数ということもできる）を調節することで、当該表示画素２０における階調表示が調節される。この図では全画素同一表示駆動ステップにおいて全画素を白にした場合について説明しているので、走査回数が多いほど表示画素２０における濃度を濃く表現でき、走査回数が少ないほど表示画素２０における濃度を薄く表現できる。図８に示す例では、２回の走査回数（画素信号及び走査信号の同時印加）により設定される階調Ｃの濃度が最も薄く、５回の走査回数（画素信号及び走査信号の同時印加）により設定される階調Ａの濃度が最も濃くなる。
【００６３】
図８に示す順次階調駆動方式においては、階調制御対象となる表示画素２０に対して画素信号及び走査信号を連続して供給し、その供給回数を調節することで当該表示画素２０における階調表示を調節する。これに対し、ブロックスキャン階調駆動方式においては、所望の階調を表現するために必要な表示画素２０の駆動回数（走査回数）を、１フレーム又は複数フレームに相当する休止期間で分離されるいくつかのブロックに分け、ブロック単位で表示画素２０を駆動する。
【００６４】
ブロックスキャン階調駆動方式においては、図８に示す階調Ｂを階調表現する場合において、図９に示すように、例えば、１フレーム又は複数フレームの休止期間（同図に示す領域Ａ１、Ａ２、Ａ３〜Ａ６）で分離される複数のブロック（同図に示すＢ１〜Ｂ３、Ｂ４〜Ｂ８）に分け、このブロック単位で表示画素２０を駆動する。なお、図９の中段に示すブロックスキャン階調駆動方式においては、１フレームの休止期間Ａ１及び３フレームの休止期間Ａ２で分離される３つのブロックＢ１〜Ｂ３で表示画素２０を駆動する。一方、図９の下段に示すブロックスキャン階調駆動方式においては、４つの１フレームの休止期間Ａ３〜Ａ６で分離される５つのブロックＢ４〜Ｂ８で表示画素２０を駆動する。
【００６５】
このようにブロック単位で表示画素２０を駆動する場合には、ブロック間に少なくとも１フレーム以上の休止期間が挿入されることから、図８に示す順次階調駆動方式のように、１フレーム周期で連続して同一表示画素２０を駆動する場合と比較して電気泳動表示インク２３内の電気泳動粒子（白粒子８２、黒粒子８３）の総移動量が変化する。この特性を利用することにより、ブロックスキャン階調駆動方式においては、表示画素２０の階調の微調整を行うことができる。例えば、図９の中段に示すブロックスキャン階調駆動方式においては、同図の上段に示す階調Ｂよりも僅かに薄い階調を有する階調Ｂ´が表現され、同図の下段に示すブロックスキャン階調駆動方式においては、この階調Ｂ´よりも僅かに薄い階調を有する階調Ｂ´´が表現される。
【００６６】
ここで、ブロックスキャン階調駆動方式を用いる場合に順次階調駆動方式と比べて表示画素２０の階調の微調整が可能となる理由について説明する。図１０は、本実施の形態に係る電気泳動表示装置１でブロックスキャン階調駆動方式と順次階調駆動方式とを用いた場合の駆動エネルギーの説明図である。
【００６７】
図１０Ａは、図９に示す破線Ｃで囲んだ領域の拡大図を示している。図１０Ａに示す左方側の波形は、表示画素２０に駆動電圧が印加されていない初期状態から最初に駆動電圧が印加された場合の波形（以下、便宜上「一次波形」という）を示し、図１０Ｂに示す右方側の波形は、先行して印加された駆動電圧による電荷を保持容量２５に蓄積後、その全てが放電されていない状態で後続する駆動電圧が印加された場合の波形（以下、便宜上「二次波形」という）を示している。
【００６８】
図１０Ａに示すように、一次波形及び二次波形における駆動電圧の印加時間ｔは同一の時間である。しかしながら、一次波形における駆動電圧が中間電圧Ｖｍｉｄから立ち上がるのに対し、二次波形における駆動電圧は中間電圧Ｖｍｉｄと高電位の電圧Ｖ２との間の電圧値から立ち上がる。このため、二次波形の立ち上がりは、一次波形と比較して急速に立ち上がる。
【００６９】
図１０Ｂは、一次波形及び二次波形の印加時間ｔに対応する駆動電圧ＳＶ１、ＳＶ２を示している。図１０Ｃは、これらの駆動電圧ＳＶ１、ＳＶ２の比較結果を示している。なお、図１０Ｃにおいては、縦軸に電圧を示し、横軸に時間を示している。図１０Ｃに示すように、二次波形の駆動電圧ＳＶ２は、その先頭時間部分にて一次波形の駆動電圧ＳＶ１よりも高い電圧値を有する。このため、二次波形の駆動電圧ＳＶ２に基づく駆動エネルギーは、一次波形の駆動電圧ＳＶ１に基づく駆動エネルギーよりもΔＳだけ大きいことが分かる。なお、このΔＳは、以下の式により求められる。
ΔＳ  ＝  ＳＶ２  −  ＳＶ１
【００７０】
ここで、図９に示す例で説明する。図９の上段に示す順次階調駆動方式で表示画素２０を駆動した場合における駆動エネルギーの総量は、５回の駆動電圧ＳＶ１に４つのΔＳを付加した値（すなわち、５×ＳＶ１＋４×ΔＳ）であることが分かる。
【００７１】
一方、図９の中段に示すブロックスキャン階調駆動方式で表示画素２０を駆動した場合における駆動エネルギーの総量は、５回の駆動電圧ＳＶ１に２つのΔＳを付加した値（すなわち、５×ＳＶ１＋２×ΔＳ）であることが分かる。すなわち、図９の上段に示す順次階調駆動方式で表示画素２０を駆動した場合における駆動エネルギーの総量よりも２つのΔＳ分だけ駆動エネルギーが小さい。このため、階調Ｂ´は、階調Ｂよりも僅かに薄い階調に変化することになる。
【００７２】
また、図９の下段に示すブロックスキャン階調駆動方式で表示画素２０を駆動した場合における駆動エネルギーの総量は、５回の駆動電圧ＳＶ１を合計した値（すなわち、５×ＳＶ１）であることが分かる。すなわち、図９の中段に示すブロックスキャン階調駆動方式で表示画素２０を駆動した場合における駆動エネルギーの総量よりも更に２つのΔＳ分だけ駆動エネルギーが小さい。このため、階調Ｂ´´は、階調Ｂ´よりも僅かに薄い階調となる。
【００７３】
なお、ブロックスキャン階調駆動方式における二つの前記ブロックの間の期間においては、画素電極２１に共通電極２２と等しい電圧を印加することで短絡させてもよく、共通電極２２をハイインピーダンス状態として開放してもよく、最後の走査後に前記画素電極をハイインピーダンス状態とすることが可能な範囲で適宜選択することができる。順次階調駆動方式およびブロックスキャン駆動方式において、各画素は所望の階調を得た時点で階調表示駆動ステップから停止ステップへ移行する。
【００７４】
また、これらの順次階調駆動方式及びブロックスキャン階調駆動方式において、所望の階調に変化させる途中で、階調制御対象の表示画素２０に対して逆向きの電圧を印加することで階調を調節することは、実施の形態として好ましい。このように所望の階調に変化させる途中で表示画素２０に逆向きの電圧を印加する方式を、以下「逆スキャン挿入駆動方式」と呼ぶものとする。
【００７５】
以下、この逆スキャン挿入駆動方式を用いた階調駆動制御について図１１及び図１２に基づいて説明する。図１１及び図１２は、本実施の形態に係る電気泳動表示装置１における逆スキャン挿入駆動方式を用いた階調駆動制御の説明図である。階調制御対象となる表示画素２０に対して駆動電圧を５回（図１１）又は２回だけ印加する場合について例示している。なお、図１１に示す階調Ｇ１〜Ｇ５においては、階調Ｇ１の濃度が最も薄く、階調Ｇ５に向けて次第に濃度が濃くなる階調を示している。
【００７６】
図１１においては、階調表示制御される２種類のインク（電気泳動粒子８２，８３）Ａ、Ｂの階調変化について示している。ここでは、図１１に示す階調Ｇ５が所望の階調であるものとする。インクＡにおいては、白（又は黒）の状態から５回の駆動（駆動電圧の印加）で階調Ｇ５が得られる電気特性を有する。一方、インクＢにおいては、白（又は黒）の状態から２回の駆動（駆動電圧の印加）で階調Ｇ５が得られる電気特性を有する。また、インクＢにおいては、階調を濃くする方向の駆動電圧の印加により４階調分だけ階調が変化するのに対し、階調を薄くする方向の駆動電圧の印加により３階調分だけ階調が変化する電気特性を有するものとする。
【００７７】
順次階調駆動方式を適用した場合、インクＡにおいては、階調Ｇ１から階調Ｇ５までの間の中間階調として３つの階調Ｇ２〜Ｇ４を順に得ることができる。一方、インクＢにおいては、階調Ｇ１の状態から駆動電圧を１回だけ印加しただけで、表示画素２０の階調は階調Ｇ５に達する。すなわち、インクＢにおいては、中間階調Ｇ２〜Ｇ４を得ることができない。そこで、逆スキャン挿入駆動方式を適用して階調駆動制御することで、このような電気特性を有するインクＢの階調表現性能を向上するものである。
【００７８】
図１２に示す逆スキャン挿入駆動方式を用いた階調駆動制御においては、２回目の駆動電圧の印加により階調Ｇ５に達した表示画素２０の画素電極２１に対し、先行する駆動電圧（階調を濃くする方向の画素信号）とは逆向きの電圧を有する駆動電圧（階調を薄くする方向の画素信号）を印加する（３回目の駆動）。これにより、この表示画素２０においては、階調Ｇ２を得ることができる。さらに、表示画素２０の画素電極２１に対して階調を濃くする方向の画素信号を印加する（４回目の駆動）。これにより、この表示画素２０においては、階調Ｇ６を得ることができる。なお、この階調Ｇ６は、階調Ｇ５よりも濃い階調を示す。さらに、表示画素２０の画素電極２１に対して階調を薄くする方向の画素信号を印加する（５回目の駆動）。これにより、この表示画素２０においては、階調Ｇ３を得ることができる。
【００７９】
このように逆スキャン挿入駆動方式を用いた階調駆動制御においては、階調制御対象となる表示画素２０を所望の階調に変化させる途中で、逆向きの電圧を有する駆動電圧を印加することで階調を調節する。これにより、階調の変化が大きい電気特性を有するインク（電気泳動粒子８２，８３）を用いる場合においても、上述した階調Ｇ２〜Ｇ４のような中間階調を得ることできるので、豊かな階調表現を実現することが可能となる。
【００８０】
次に、電気泳動表示装置１における停止ステップについて説明する。本実施の形態に係る電気泳動表示装置１においては、停止ステップとして、それぞれの表示画素２０が所望の階調に達した後、各画素ごとの画素電極２１の電位を共通電極２２と同電位として短絡する画素毎順次短絡方式と、表示画素すべての表示画素２０が所望の階調に到達した後、全ての表示画素２０の画素電極２１と共通電極２２との間を一斉に短絡する一斉短絡方式と、全ての表示画素２０の画素電極２１と共通電極２２との間を順次に短絡する走査線毎順次短絡方式と、がある。それぞれの短絡方式は階調表示駆動ステップ終了後から一定時間が経過してから行ってもよい（休止後画素毎順次短絡方式、休止後一斉短絡方式、休止後走査線毎順次短絡方式）。
【００８１】
ここで、短絡動作および開放動作について図１３に基づいて説明する。図１３は、本実施の形態に係る電気泳動表示装置１における階調駆動制御を終了する場合の短絡動作及び開放動作の説明図である。図１３Ａにおいては、停止ステップの短絡動作を示し、図１３Ｂにおいては階調表示駆動ステップ中の開放動作について示し、図１３Ｃにおいては、停止ステップの開放動作を示している。
【００８２】
短絡動作においては、図１３Ａに示すように、走査線Ｙに対する走査信号をオン電位とし、データ線Ｘを介して画素電極２１に印加される電圧と、共通電極２２に印加される電圧とが同電位に設定される。一方、開放動作においては、図１３Ｂに示すように、データ線Ｘを何らかの方法によりハイインピーダンス状態に設定し、或いは、図１３Ｃに示すように、走査線Ｙをオフ電位に設定することでハイインピーダンス状態に設定する。前者が走査線Ｙに対する走査信号がオン電位であるのに対し、後者が走査線Ｙに対する走査信号がオフ電位である点で相違する。
【００８３】
以下、画素毎順次短絡方式と休止後画素毎順次短絡方式を用いた停止ステップについて説明する。画素毎順次短絡方式は、階調表示駆動ステップを終えた画素を次の操作タイミングで短絡とする方式で、図１４Ａに示すように、例えば、表示画素２０に５回目の走査信号が供給される一方、この走査信号に対応するタイミングにて、画素電極２１及び共通電極２２が同一電圧（ここでは、Ｖｍｉｄ（０Ｖ））に設定することで５回目の走査信号が供給されたタイミングで電気泳動表示インク２３及び保持容量２５に蓄積された電荷が除去する方式である。休止後画素毎順次短絡方式は、図１４Ａの４回目と５回目の間に画素電極２１をハイインピーダンス状態して走査信号を供給する開放動作を１または複数回挿入した後に短絡動作を行う方式である。特に休止後画素毎順次短絡方式においては、停止までのタイミングを画素毎に設定できるためにより豊かな階調表示性能を得ることが可能となる。
【００８４】
以下、一斉短絡方式及び順次短絡方式を用いた停止ステップについて図１５及び図１６に基づいて説明する。図１５は、一斉短絡方式を用いた停止ステップの説明図である。図１６は、走査線毎順次短絡方式を用いた停止ステップの説明図である。なお、図１５及び図１６においては、走査線Ｙ１〜Ｙｍに対する走査信号に応じて制御されるラインＬ１〜Ｌｍを示している。
【００８５】
一斉短絡方式においては、図１５に示すように、各表示画素２０から構成される表示部２のすべての画素が階調表示駆動ステップを終えた直後、一斉に画素電極２１に印加される電位と共通電極２２に印加される電位とを同電位とすることで、全ての走査線Ｙ１〜Ｙｍを同時に短絡する。この一斉短絡方式を用いた停止ステップによれば、電気泳動表示インク２３及び保持容量２５に蓄積された電荷が強制的に除去されることから、電気泳動表示インク２３において消費される電荷の量を低減できる。これにより、電気泳動表示インク２３が受けるダメージを低減できるので、表示部２の長寿命化を実現することが可能となる。特に、一斉短絡方式においては、全ての走査線Ｙ１〜Ｙｍを一括的に短絡できるので、複雑な制御を必要とすることなく、停止ステップに必要な処理時間を短縮することが可能となる。
【００８６】
一方、走査線毎順次短絡方式においては、図１６に示すように、各表示画素２０から構成される表示部のすべての画素が階調表示駆動ステップを終えた直後、順次に走査線Ｙ１〜Ｙｍに走査信号を与えて各画素における画素電極２１に印加される電位と共通電極２２に印加される電位とを同電位とする。この走査線毎順次短絡方式を用いた停止ステップによれば、一斉短絡方式と同様に、電気泳動表示インク２３及び保持容量２５に蓄積された電荷が強制的に除去されることから、電気泳動表示インク２３において消費される電荷の量を低減できる。これにより、電気泳動表示インク２３が受けるダメージを低減できるので、表示部２の長寿命化を実現することが可能となる。特に、順次短絡方式においては、走査線Ｙ１〜Ｙｍ毎に表示画素２０に対する駆動電圧の印加時間を揃えることが可能となる。
【００８７】
なお、図１５及び図１６に示す一斉短絡方式及び順次短絡方式においては、表示部２のすべての画素が階調表示駆動ステップを終えた直後に短絡動作を行う場合について説明している。しかしながら、これらの短絡動作については、画像を書き込んだ後、一定時間の休止期間の経過後に行うようにしてもよい（休止後短絡方式）。この休止後短絡方式においては、例えば、休止期間として、電気泳動表示インク２３内の粒子（白粒子８２、黒粒子８３）の移動が終了する期間に設定することができる。この場合には、休止期間を挟んで短絡動作を行われることから、階調表現性能を維持しながら表示部２の長寿命化を確保することが可能となる。
【００８８】
次に、本実施の形態に係る電気泳動表示装置１における停止ステップの波形について説明する。図１４は、本実施の形態に係る電気泳動表示装置１における階調駆動ステップが終了した画素における停止ステップの説明図である。図１４Ａにおいては、画素毎順次短絡方式により階調表示駆動ステップが終了した画素を次の走査のタイミングで短絡とする場合の波形を示し、図１４Ｂにおいては、画素毎順次開放方式により階調表示駆動ステップが終了した画素を次の捜査のタイミングで開放とする場合の波形を示している。
【００８９】
階調表示駆動ステップを終えた画素を次の操作タイミングで短絡とする画素毎順次短絡方式を適用する停止ステップでは、図１４Ａに示すように、例えば、表示画素２０に５回目の走査信号が供給される一方、この走査信号に対応するタイミングにて、画素電極２１及び共通電極２２が同一電圧（ここでは、Ｖｍｉｄ（０Ｖ））に設定される。この場合、５回目の走査信号が供給されたタイミングで電気泳動表示インク２３及び保持容量２５に蓄積された電荷が除去される。
【００９０】
このように停止ステップに画素毎順次短絡方式を適用する場合には、電気泳動表示インク２３及び保持容量２５に蓄積された電荷が強制的に除去されることから、電気泳動表示インク２３において消費される電荷の量を低減できる。これにより、電気泳動表示インク２３が受けるダメージを低減できるので、表示部２の長寿命化を実現することが可能となる。
【００９１】
一方、停止ステップで画素毎順次開放方式を適用する場合には、図１４Ｂに示すように、例えば、表示画素２０に５回目以降の走査信号が供給されるタイミングにて画素電極２１をハイインピーダンス状態として駆動される。その結果、４回目の走査で保持容量２５に蓄積された電荷が徐々に放電される。
【００９２】
このように階調駆動制御を終了する際に画素電極２１を順次開放する場合には、電気泳動表示インク２３及び保持容量２５に蓄積された電荷が自然放電されるまで駆動電圧が保持されることから、表示部２におけるメモリ性を向上することが可能となる。
【００９３】
同様に、ブロックスキャン階調駆動方式を用いて階調駆動制御を行う場合において、順次短絡、又は順次開放により階調駆動制御を終了する場合の波形について図９に示す例を用いて説明する。ブロックスキャン階調駆動方式を用いた階調駆動制御を順次短絡方式により終了する場合、図９に示すように、最後のブロック（階調Ｂ´のブロックＢ３、階調Ｂ´´のブロックＢ８）にて電気泳動表示インク２３及び保持容量２５に蓄積された電荷は、強制的に除去される。一方、ブロックスキャン階調駆動方式を用いた階調駆動制御を順次開放方式により終了する場合には、図１７に示すように、上述した順次短絡方式のように除去されずに保持され、時間経過に伴って自然放電される。
【００９４】
ブロックスキャン階調駆動方式を用いた階調駆動制御を終了する場合においても、順次短絡方式を適用する場合には、電気泳動表示インク２３及び保持容量２５に蓄積された電荷が強制的に除去されることから、電気泳動表示インク２３で消費される電荷量の低減を通じて電気泳動表示インク２３が受けるダメージを低減できるので、表示部２の長寿命化を実現することが可能となる。一方、順次開放方式を適用する場合には、電気泳動表示インク２３及び保持容量２５に蓄積された電荷を階調表現に有効に活用できるので、表示部２におけるメモリ性を向上することが可能となる。
【００９５】
以上説明したように、本実施の形態に係る電気泳動表示装置１においては、全画素同一表示駆動ステップ、階調表示駆動ステップ及び停止ステップを順次実行することで表示部２に画像を表示させる。ある画像を表示部２に表示した後、新たな別の画像を表示する場合には、全画素同一表示駆動ステップを挟んで階調表示駆動ステップが行われ、停止ステップが行われる。この場合において、全画素同一表示駆動ステップではコモン振りが適用されることから、高コントラストの白又は黒の表示を実現できる。一方、階調表示駆動ステップではコモン振りを適用することなく中間電位Ｖｍｉｄに固定した状態で各画素電極２１に対する駆動が制御されることから、細かい階調の変化を実現できる。この結果、白黒二値の表示性能を向上すると共に、階調表現性能を向上することが可能となる。
【実施例】
【００９６】
以下に実施例を挙げて本発明をさらに詳しく説明するが、本発明はこれら実施例のみに限られるものではない。
【００９７】
以下、本実施の形態に係る電気泳動表示装置１における駆動動作に関する検証実験について説明する。ここでは、共通電極２２と画素電極２１の素材には、酸化インジウムスズ（スズドープ酸化インジウム）によって表面抵抗が２５０Ω／□となる透明な電極がＰＥＴフィルム上に形成された基板（以下ＩＴＯ−ＰＥＴと呼ぶ）を使用した。また、共通電極２２には、インクを仕切るための高さ２０μｍ、ピッチ３００μｍのマイクロセルが形成されている。電気泳動表示インク２３を電極間（画素電極２１−共通電極２２間）が２０μｍ、表示エリアが５０ｍｍ×４０ｍｍとなるようにＵＶ硬化接着剤で周囲を封止した。上記のように構成されたパネル１枚を以下単セルと呼称する。
【００９８】
インク（電気泳動表示インク２３）の電気的特性は、体積固有抵抗が１０１０（Ωｃｍ）、比誘電率が３である。電気泳動表示インク２３は、白色粒子８２及び黒色粒子８３を含む。白色粒子８２は、負に帯電しており、共通電極２２が画素電極２１と比較して高電圧の場合に共通電極２２側に集まり、表示面側（共通電極２２側）が白色表示となる。一方、黒色粒子８３は、正に帯電しており、共通電極２２が画素電極２１と比較して低電圧の場合に共通電極２２側に集まり、表示面側（共通電極２２側）が黒色表示となる。
【００９９】
前記単セル１枚に静電容量が１４．７μFの保持容量２５を並列に接続しこれを１画素とみなして検証実験を実施した。
【０１００】
検証実験においては、データ線数が３２０本であり、走査線数が２４０本の一般的なＱＶＧＡパネル（表示部２）を想定した。
【０１０１】
走査線順次選択方式にて駆動する場合、走査線の選択時間を２０μｓとした。この場合、走査線数が２４０本であるので、１フレームの走査信号の供給に要する時間は、４．８ｍｓである。したがって前記単セルには、１フレーム４．８ｍｓのうちに２０μｓだけ電圧が印加される。なお、階調表示駆動ステップでは、階調に合わせてフレーム数を変化させた。
【０１０２】
また、全走査線同時選択駆動方式にて駆動する場合は、１フレームを１００ｍｓとして全画素が１００ｍｓの期間、電圧が印加されるようにした。
【０１０３】
全画素同一表示駆動ステップに適用されるコモン振りにおいては、共通電極２２に＋１５Ｖを印加し、画素電極２１に−１５Ｖを印加することで、共通電極２２側（表示面側）に白色粒子８２を移動させる電圧として電位差３０Ｖを得た。一方、共通電極２２に−１５Ｖを印加し、画素電極２１に＋１５Ｖを印加することで、共通電極２２側（表示面側）に黒色粒子８３を移動させる電圧として電位差３０Ｖを得た。
【０１０４】
コモン振りを適用しない階調表示駆動ステップ（階調表示駆動）においては、共通電極２２を０Ｖに設定し、画素電極２１に＋１５Ｖを印加することで、共通電極２２側（表示面側）に白色粒子８２を移動させる電圧として電位差１５Ｖを得た。一方、共通電極２２を０Ｖに設定し、画素電極２１に−１５Ｖを印加することで、共通電極２２側（表示面側）に黒色粒子８３を移動させる電圧として電位差１５Ｖを得た。
【０１０５】
（実施例１）
共通電極２２に＋１５Ｖを印加し、画素電極２１に−１５Ｖを印加した状態で走査線を順次選択するスキャン動作を２０回繰り返して全画素の表示状態を白に変化させる全画素同一表示駆動ステップの後に、共通電極２２に０Ｖを印加し、画素電極２１には、次表示画像データに従って表示状態を変化させたい画素には＋１５Ｖを印加し、表示状態を変化させない画素には０Ｖを印加させて走査線を順次選択するスキャン動作を６０回繰り返す階調表示駆動ステップを行い、表示したい階調に到達した画素の画素電極２１に０Ｖを印加することで、共通電極と同電位とする停止ステップを行った。
【０１０６】
（実施例２）
共通電極２２に−１５Ｖを印加し、画素電極に＋１５Ｖを印加した状態で走査線を順次選択するスキャン動作を２０回繰り返したのちに、共通電極２２に＋１５Ｖを印加し、画素電極２１に−１５Ｖを印加した状態で走査線を順次選択するスキャン動作を２０回繰り返して全画素の表示状態を白に変化させる全画素同一表示駆動ステップの後に、共通電極２２に０Ｖを印加し、画素電極２１には、次表示画像データに従って表示状態を変化させたい画素には＋１５Ｖを印加し、表示状態を変化させない画素には０Ｖを印加させて走査線を順次選択するスキャン動作を６０回繰り返す階調表示駆動ステップを行い、表示したい階調に到達した画素の画素電極２１に０Ｖを印加することで、共通電極と同電位とする停止ステップを行った。
【０１０７】
（実施例３）
共通電極２２に＋１５Ｖを印加し、画素電極２１に−１５Ｖを印加した状態で全走査線を同時に１００ｍｓの間、選択する動作によって全画素の表示状態を白に変化させる全画素同一表示駆動ステップの後に、共通電極２２に０Ｖを印加し、画素電極２１には、次表示画像データに従って表示状態を変化させたい画素には＋１５Ｖを印加し、表示状態を変化させない画素には０Ｖを印加させて走査線を順次選択するスキャン動作を６０回繰り返す階調表示駆動ステップを行い、表示したい階調に到達した画素の画素電極２１に０Ｖを印加することで、共通電極と同電位とする停止ステップを行った。
【０１０８】
（実施例４）
共通電極２２に−１５Ｖを印加し、画素電極に＋１５Ｖを印加した状態で全走査線を同時に１００ｍｓの間、選択する動作ののちに、共通電極２２に＋１５Ｖを印加し、画素電極２１に−１５Ｖを印加した状態で全走査線を同時に１００ｍｓの間、選択する動作によって全画素の表示状態を白に変化させる全画素同一表示駆動ステップの後に、共通電極２２に０Ｖを印加し、画素電極２１には、次表示画像データに従って表示状態を変化させたい画素には＋１５Ｖを印加し、表示状態を変化させない画素には０Ｖを印加させて走査線を順次選択するスキャン動作を６０回繰り返す階調表示駆動ステップを行い、表示したい階調に到達した画素の画素電極２１に０Ｖを印加することで、共通電極と同電位とする停止ステップを行った。
【０１０９】
（実施例５）
実施例２の、階調表示駆動ステップにおいて、スキャン動作を３１回繰り返して全画素を中間階調１の表示状態にした。
【０１１０】
（実施例６）
実施例２の、階調表示駆動ステップにおいて、スキャン動作を３０回繰り返して全画素を中間階調２の表示状態にした。
【０１１１】
（実施例７）
実施例２の、階調表示駆動ステップにおいて、スキャン動作を２９回繰り返して全画素を中間階調３の表示状態にした。
【０１１２】
（実施例８：逆スキャン挿入駆動）
実施例６の、階調表示駆動ステップにおいて、スキャン動作を１５回繰り返した後に画素電極に＋１５Ｖを印加した状態でスキャン動作を１回行い、その後再び画素電極に−１５Ｖを印加した状態でスキャン動作を１５回繰り返して全画素を中間階調４の表示状態にした。
【０１１３】
（実施例９：ブロックスキャン駆動）
実施例６の、階調表示駆動ステップにおいて、スキャン動作を１５回繰り返した後にスキャン動作１０回分の休止期間を設け、その後スキャン動作を１５回繰り返して全画素を中間階調５の表示状態にした。
【０１１４】
（実施例１０：逆スキャン挿入駆動とブロックスキャン駆動の組合わせ）
実施例６の、階調表示駆動ステップにおいて、スキャン動作を１５回繰り返した後にスキャン動作１０回分の休止期間を設けたのちに画素電極に＋１５Ｖを印加した状態でスキャン動作を１回行い、再びスキャン動作１０回分の休止期間を設けた後に画素電極に−１５Ｖを印加した状態でスキャン動作を１５回繰り返して全画素を中間階調５の表示状態にした。
【０１１５】
（比較例１）
全画素同一表示駆動ステップにおいて、共通電極２２には常に０Ｖが印加されていることのみ実施例２と異なる駆動にて表示を行った。
【０１１６】
（比較例２）
全画素同一表示駆動ステップにおいて、共通電極２２には常に０Ｖが印加され、階調表示駆動において、共通電極２２には常に−１５Ｖが印加されていることのみ実施例２と異なる駆動にて表示を行った。
【０１１７】
（比較例３）
停止ステップにおいて、画素電極がハイインピーダンス状態となることのみ実施例２と異なる駆動にて表示を行った。
【０１１８】
（比較例４）
階調表示駆動において、共通電極２２には常に−１５Ｖが印加されていることのみ実施例２と異なる駆動にて表示を行った。
【０１１９】
（評価方法）
駆動後の評価にはスガ試験機社製の分光測色計「ＳＣ−Ｐ」を用いて反射率（Ｙ値）を測定した。測定に使用した光源はＤ６５、１０°視野、測定孔はφ１５、正反射を除いて測定した。
【０１２０】
（評価項目Ａ：全画素同一表示反射率）
各実施例及び比較例の駆動において全画素同一表示駆動ステップ後に駆動を停止して反射率を計測し全画素同一表示反射率とした。本実施例では白反射率となり、数値が高いほど性能がよい。今回は「反射率４５以上：◎」「反射率４０以上４５未満：○」「反射率３５以上４０未満：△」「反射率３５未満：×」と表現した。
【０１２１】
（評価項目Ｂ：階調駆動表示時最終反射率）
各実施例及び比較例の駆動において、階調表示駆動ステップでスキャンを６０回繰り返した後の反射率を計測し、階調駆動表示時最終反射率とした。本実施例ではこの状態が最も黒い状態を得た場合の反射率となり、数値が低いほど性能がよい。今回は「反射率４．０未満：◎」「反射率４．０以上４．５未満：○」「反射率４．５以上５．０未満：△」「反射率５．０以上：×」と表現した。
【０１２２】
（評価項目Ｃ：階調表示性能）
スキャン回数階調においては、スキャンのたびに粒子は反対側電極へ移動することとなり、逆方向への移動はない。したがって、評価Ａで得られた反射率から評価Ｂで得られた反射率へ移行するのに必要となるスキャン回数が、表現できる中間階調の最大値となる。本実施例においては、「スキャン回数を一回増加しても反射率変動が、スキャン回数増加前の反射率から５％以上変化しない」時点で粒子の移動が終了したと判断し、それまでに要したスキャン回数を階調表示性能とした。各実施例及び比較例の駆動において、階調表示駆動ステップでスキャンを１回から６０回まで変化させて停止し、各スキャン回数印加後の反射率を計測して評価した。今回は「スキャン回数が６４回以上：◎」「スキャン回数が３２回以上６４回未満：○」「スキャン回数が１６回以上３２回未満：△」「スキャン回数が１５回以下：×」と表現した。
【０１２３】
（評価項目Ｄ：書換耐久性）
表示書換駆動を繰り返していくと「全画素同一表示の反射率」は低下し、「階調駆動表示時最終反射率」は上昇する。また「中間階調反射率」は変動するといった表示性能劣化が発生する。今回は書換駆動２０万回後の表示を見て劣化状態を判断した。「表示性能の変化が実感できない：○」「表示の低下が実感できる：△」「表示性能が著しく低下する：×」と表現した。
【０１２４】
（評価の結果その１）
実施例１〜４及び比較例１〜４の評価の結果を表１に示した。
【表１】
2014215583.tif 000003
【０１２５】
（評価の結果その１の考察）
実施例１〜４は、評価４項目すべてにおいて○以上の結果となった。これに対し、比較例１と２では、評価項目Ａ及び評価項目Ｂで○とならない。このことから、全画素同一表示駆動ステップにおいて共通電極２２を０Ｖとする駆動（コモンを振らない駆動）を実施した場合、白及び黒の表示性能が低下し、パネルのコントラストが低下する。比較例４では、評価項目Ｃでは△となる。このことから全画素同一表示駆動ステップ及び階調表示駆動ステップの両方でコモン振りによる駆動を実施した場合、階調表示性能が低下することがわかる。比較例３は評価項目Ｄにて△となる。このことから、停止ステップにおいて画素電極をハイインピーダンス状態とする駆動は書換耐久性が低下することがわかる。
【０１２６】
（評価の結果その２）
実施例５〜１０の評価の階調表示駆動ステップ後の反射率を図１８に示した。
【０１２７】
（評価結果その２の考察）
実施例５〜７は階調表示駆動ステップにおいてスキャン回数が１ずつ異なる駆動である。したがって、従来技術のスキャン回数階調方式を用いる場合、この間の反射率を得ることはできない。しかし、実施例８の逆スキャンを挿入する駆動や実施例９の休止を挿入する駆動、また、実施例１０の、逆スキャンとブロックスキャンを組み合わせた駆動により、実施例５〜７の間の反射率を得ることができた。このことから、逆スキャン挿入駆動およびブロックスキャン駆動を用いることで階調表示の微調整を行うことが可能となることがわかる。
【０１２８】
なお、上記の効果を、ＴＦＴを用いたＱＶＧＡの表示パネルにて検証した結果、同様の結果が得られた。
【０１２９】
なお、本発明は上記実施の形態に限定されず、さまざまに変更して実施可能である。上記実施の形態において、添付図面に図示されている大きさや形状などについては、これに限定されず、本発明の効果を発揮する範囲内で適宜変更が可能である。その他、本発明の目的の範囲を逸脱しない限りにおいて適宜変更して実施可能である。
【０１３０】
例えば、上記実施の形態においては、電気泳動表示インク２３が白色粒子８２、黒色粒子８３及び分散媒８１からなる電気泳動表示用液で構成され、これを電子インクとして用いる場合について説明している。しかしながら、本発明に係る電気泳動表示装置１で用いられる電気泳動表示インク２３については、これに限定されるものではなく適宜変更が可能である。例えば、電子インクをマイクロカプセル内に充填した構成を採用することも可能である。
【符号の説明】
【０１３１】
１  電気泳動表示装置
２  表示部
３  データ線駆動回路
４  走査線駆動回路
５  共通電位供給回路
６  コントローラ
１１  共通電位線
２０  表示画素
２１  画素電極
２２  共通電極
２３  電気泳動表示インク
２４  画素スイッチング用トランジスタ
２５  保持容量
２８  素子基板
２９  対向基板
８１  分散媒
８２  白色粒子
８３  黒色粒子
【図１】
2014215583.tif 000004
【図２】
2014215583.tif 000005
【図３】
2014215583.tif 000006
【図４】
2014215583.tif 000007
【図５】
2014215583.tif 000008
【図６】
2014215583.tif 000009
【図７】
2014215583.tif 000010
【図８】
2014215583.tif 000011
【図９】
2014215583.tif 000012
【図１０】
2014215583.tif 000013
【図１１】
2014215583.tif 000014
【図１２】
2014215583.tif 000015
【図１３】
2014215583.tif 000016
【図１４】
2014215583.tif 000017
【図１５】
2014215583.tif 000018
【図１６】
2014215583.tif 000019
【図１７】
2014215583.tif 000020
【図１８】
2014215583.tif 000021